(57)【要約】【課題】軽量で、組み立て容易な陳列用什器を提供すること。【解決手段】脚部材１２の差し込み突片２１が棚板１１の差し込み溝１５に差し込まれることにより、陳列台が組み立てられ、最下部の棚板１１が陳列台の設置面を形成し、３段の棚板１１が上下に相互間隔をおいて配置され、棚板１１上に各種の商品などの陳列物を載置される。棚板１１は合成樹脂製、脚部材１２は厚紙製である。陳列台が合成樹脂製の棚板１１と厚紙製の脚部材１２とによって構成されているため、全体が合成樹脂製の陳列台と比較して組み立て及び軽量化が可能になる。【選択図】図１
0003216425.tif 000002
【実用新案登録請求の範囲】
【請求項１】
脚部と、その脚部に支持可能な陳列板とを備えた什器において、
前記脚部を紙製にするとともに、前記陳列板を合成樹脂製にした陳列用什器。
【請求項２】
前記陳列板を板部と、その周囲に起立状態で設けられた縁枠部とにより構成した請求項１に記載の陳列用什器。
【請求項３】
前記脚部を筒形に形成するとともに、その端部に差し込み突片を設け、前記陳列板の板部には前記差し込み突片を差し込み可能にした差し込み溝を設けた請求項２に記載の陳列用什器。
【請求項４】
前記脚部は、両側及び後側の壁部により構成するとともに、前側を開放し、内部に前記陳列板を収容可能にした請求項１に記載の陳列用什器。
【請求項５】
前記脚部は、平面三角形状に形成し、２辺の側面に開口を形成するとともに、その開口の下縁を前記陳列板を載置するための載置部とした請求項１に記載の陳列用什器。
【考案の詳細な説明】
【技術分野】
【０００１】
本考案は、各種商品などを陳列するための陳列用什器に関するものである。
【背景技術】
【０００２】
特許文献１には、薄板状の棚板部材により構成された多段陳列棚が開示されている。
特許文献２には、棚板や壁により構成された紙製陳列棚が開示されている。
特許文献３には、枠体、壁、棚などを有する厚紙製陳列台が開示されている。
【先行技術文献】
【特許文献】
【０００３】
【特許文献１】特開２０１３−１４６３７２号公報
【特許文献２】特開２０１５−１５４７９５号公報
【特許文献３】特開２０１７−６３９１２号公報
【考案の概要】
【考案が解決しようとする課題】
【０００４】
特許文献１の多段陳列棚を構成する棚板部材は、薄板状であるが、その材質については言及されていない。
特許文献２の紙製陳列棚においては、補強板やネジが合成樹脂製であるものの、棚板や壁は紙製である。
【０００５】
特許文献３の厚紙製陳列台は、全体が段ボールによって構成されている。
これらの紙製陳列台においては、棚板に重量物が載置されることがある。この場合、棚板が紙製の場合は、その強度が不足するおそれがある。このため、棚板に対してなんらかの補強を施す必要が生じる場合もあり、補強が施されない場合は、用途が限定されて、汎用性に乏しいものとなる。
【０００６】
また、特許文献１〜３とは異なり、全体を合成樹脂によって構成した陳列台は、大重量化するだけではなく、組み立てに手間がかかり、取り扱いが不便になる結果を招く。
本考案の目的は、汎用性に富んだ陳列台を提供することにある。
【課題を解決するための手段】
【０００７】
上記の目的を達成するために、本考案は、脚部と、その脚部に支持された陳列板とよりなる什器において、前記脚部を紙製にするとともに、前記陳列板を合成樹脂製にしたことを特徴とする。
【０００８】
以上の構成においては、棚板が合成樹脂製であるため、その棚板の強度を向上できて、大重量物の陳列に適する。また、棚板が合成樹脂製であるため、各種の形状を容易に採用できて、デザイン性を向上させたり、各種の用途に対応させたりすることができる。さらに、全体を合成樹脂製にした陳列台と比較して、軽量化できるとともに、組み立ても容易になる。以上のように、本考案の陳列台によれば、各種の優位点を備えた汎用性の高いものとすることができる。
【考案の効果】
【０００９】
本考案によれば、陳列棚として汎用性の高いものとすることができる効果がある。
【図面の簡単な説明】
【００１０】
【図１】第１実施形態を示す陳列台の斜視図。
【図２】同じく分解斜視図。
【図３】第２実施形態を示す陳列台の斜視図。
【図４】第３実施形態を示す陳列台の斜視図。
【図５】第４実施形態を示す陳列台の斜視図。
【図６】円形の棚板を示す一部切断斜視図。
【図７】ほぼ四角形の棚板を示す一部切断斜視図。
【図８】第５実施形態を示す陳列台の斜視図。
【図９】第６実施形態を示す陳列台の斜視図。
【図１０】第７実施形態を示す陳列台の斜視図。
【図１１】第８実施形態を示す陳列台の斜視図。
【考案を実施するための形態】
【００１１】
（第１実施形態）
以下に、本考案を具体化した第１実施形態を図面に従って説明する。
図１，図２及び図６に示すように、第１実施形態の陳列台は、陳列板としての円形をなす複数の棚板１１と、脚部としての円筒形の脚部材１２とを有する。棚板１１は合成樹脂製であり、脚部材１２は厚紙製である。
【００１２】
棚板１１は、板部としての円形の陳列部１３と、その陳列部１３の外周に起立状態で設けられ、陳列部１３の上下両面から突出する縁枠部１４とを備えている。陳列部１３には、複数の同心位置において、それぞれ複数の差し込み溝１５が透設されている。
【００１３】
脚部材１２は、構造が同じであって、径の異なるものが複数用意されている。脚部材１２の両端には、前記差し込み溝１５に差し込み可能にした複数の差し込み突片２１が形成されている。
【００１４】
次に、以上のように構成された陳列台の作用を説明する。
図１に示す陳列台においては、３枚の棚板１１と２本の脚部材１２が使用されている。そして、脚部材１２の差し込み突片２１が差し込み溝１５に差し込まれることにより、陳列台が組み立てられる。従って、最下部の棚板１１が陳列台の設置面を形成し、３段の棚板１１が上下に相互間隔をおいて配置される。従って、棚板１１上に各種の商品などの陳列物を載置できる。なお、図１においては、細めの脚部材１２を用いて、その脚部材１２の差し込み突片２１を内径側の差し込み溝１５に差し込んだが、太めの脚部材１２を用いて、その脚部材１２の差し込み突片２１を外径側の差し込み溝１５に差し込んでもよい。
【００１５】
そして、第１実施形態においては、以下の効果がある。
（１）棚板１１が合成樹脂製であるため、その棚板１１の強度を高くすることができて、大重量物を載置して陳列することに適する。
【００１６】
（２）棚板１１が合成樹脂製であるため、実施形態のような円形などの各種の形状を容易に成形できて、デザイン性を向上させたり、各種の陳列用途に対応させたりすることができる。
【００１７】
（３）陳列台が合成樹脂製の棚板１１と厚紙製の脚部材１２とによって構成されているため、全体が合成樹脂製の陳列台と比較して軽量化が可能になり、取り扱いが容易になる。また、全体が紙製の陳列台と比較して、丈夫な構造を採用することができる。
【００１８】
（４）前記のように、陳列台が合成樹脂製の棚板１１と厚紙製の脚部材１２とによって構成されているため、全体が合成樹脂製の陳列台と比較して組み立てが容易になり、取り扱いに便利である。
【００１９】
（５）棚板１１が円形をなし、脚部材１２がその中心に位置しているため、商品などを３６０度の範囲にわたって陳列することができて、陳列効果を高めることができる。
（６）棚板１１と脚部材１２の数を適宜に選択することにより、用途に応じて棚板１１の枚数を自在に設定できる。
【００２０】
（７）棚板１１として、径の異なるものを複数種類用意すれば、棚板１１の面積を商品の種類などに応じて各種選択できる。
（８）脚部材１２として長さの異なるものを複数種類用意すれば、陳列台の高さを商品の種類などに応じて各種選択できる。
【００２１】
（第２実施形態）
次に、本考案の第２実施形態を説明する。
図３及び図７に示すように、本実施形態においては、棚板１１として、陳列部１３と縁枠部１４とを有し、前縁を円弧状にしたほぼ四角形の形状のものが用いられ、脚部材１２として差し込み突片２１を有する角筒状のものが用いられている。
【００２２】
棚板１１の差し込み溝１５は、同棚板１１の前後位置に一対ずつ設けられている。また、棚板１１の外周寄りには、複数の円形状の嵌め込み孔２２が透設されている。
従って、第２実施形態においては、前記第１実施形態と同様に、棚板１１を脚部材１２を介して上下に間隔をおいて配置できる。
【００２３】
また、第２実施形態においては、最下部の棚板１１の嵌め込み孔２２に脚３１の上端の突起（図示しない）を下側から嵌め込むことにより、その嵌め込み孔２２を利用して脚３１を立てることができる。その脚３１の下端には脚３１の配置状態を強固にするための設置板３２を取り付けることができる。
【００２４】
第２実施形態においては、以下の効果がある。
（９）嵌め込み孔２２を利用して四隅に脚３１を立てることができるため、陳列台を安定状態で設置できる。
【００２５】
（第３実施形態）
次に、本考案の第３実施形態を説明する。
図４に示すように、第３実施形態においては、脚部としての枠脚２５は、両側及び後側に壁部２３，２４を有するとともに、前側を開放して構成され、その枠脚２５内には前記第２実施形態において用いられた棚板１１を収容可能である。そして、枠脚２５内に複数の棚板１１が収容され、図示しない止め具を使用して、棚板１１が上下に間隔をおいて配置されている。
【００２６】
従って、第３実施形態においては、以下の効果がある。
（１０）棚板１１が枠脚２５によって支持されているため、陳列棚を安定状態で設置できる。
【００２７】
（１１）棚板１１がその両側において枠脚２５の両側の壁部２３に支持されるため、棚板１１に載置される商品などの重量アンバランスによる棚板１１の傾斜を抑えて、その棚板１１を安定支持できる。
【００２８】
（第４実施形態）
次に、本考案の第４実施形態を説明する。
図５に示すように、第４実施形態においては、枠脚２５が平面三角形状をなし、その２辺の上下位置に開口２６が形成されるとともに、その開口２６の下辺が載置部２７になっている。開口２６内には棚板１１を収容可能であり、載置部２７には開口２６内に収容された棚板１１が載置される。
【００２９】
従って、棚板１１は、開口２６内において載置部２７に載置され、その両端が開口２６から外方に突出している。
従って、第４実施形態においては、以下の効果がある。
【００３０】
（１２）棚板１１が平面三角形状をなす枠脚２５に支持されて、棚板１１の両端部が外方に突出しているため、商品などの陳列物を棚板１１の上面に対して前方及び両側方から出し入れすることができる。
【００３１】
（第５実施形態）
次に、本考案の第５実施形態を説明する。
図８に示すように、第５実施形態においては、円筒状の厚紙製の脚部材４１が設けられ、その上端に円形をなす前記第１実施形態とほぼ同様な陳列部１３と縁枠部１４とを有する棚板１１が嵌合固定されている。そして、その棚板１１上には、第１実施形態と同様に２枚の棚板１１が脚部材１２を介して上下に設けられている。さらに、上端の棚板１１上には脚部材１２を介して円筒状の厚紙製の装飾筒４２が設けられ、その装飾筒４２の上端には棚板１１が嵌合固定されている。各棚板１１の上面には発泡合成樹脂よりなる敷板４３が敷設され、その敷板４３には複数の取付孔４４が形成されている。なお、敷板４３は必ずしも必要ではない。
【００３２】
第５実施形態においては、以下の効果がある。
（１３）脚部材４１が棚板１１を嵌合する大径のものであるため、安定した設置状態を得ることができる。また、敷板４３を設けた状態においては、敷板４３の取付孔４４に化粧瓶などの商品を嵌合できるため、その商品を安定状態で展示できる。
【００３３】
（第６実施形態）
次に、本考案の第６実施形態を説明する。
図９に示すように、第６実施形態においては、第５実施形態と同様な上端に棚板１１を有する円筒状の脚部材４１が設けられている。そして、その棚板１１上には複数の細い合成樹脂製のパイプ４５を介して陳列部１３と縁枠部１４とを有する複数の棚板１１が上下間隔をおいて設けられている。さらに、棚板１１は上下方向から見て異なるところに位置するように配置されている。また、本実施形態の陳列用什器の上端には円筒状の装飾筒４２が設けられている。
【００３４】
従って、第６実施形態においては、以下の効果がある。
（１４）棚板１１が上下方向から見て異なるところに位置するように、いわば分散配置されているため、展示される商品がより多く露出され、商品の展示効果を高めることができる。
【００３５】
（第７実施形態）
次に、本考案の第７実施形態を説明する。
図１０に示すように、第７実施形態においては、下端に厚紙を折り曲げて形成した台座５１を有する同じく厚紙を折り曲げて形成した角筒状の支柱５２が設けられ、この支柱５２の隣接する２つの側面に外周を円形にした複数の棚板１１がそれぞれ上下間隔をおいて、かつ、向きが異なるように配置されている。
【００３６】
従って、第７実施形態においては、以下の効果がある。
（１５）複数の棚板１１が向きが異なるように配置されているため、前記第６実施形態と同様に商品の展示効果を高めることができる。
【００３７】
（第８実施形態）
次に、本考案の第８実施形態を説明する。
図１１に示すように、第８実施形態においては、厚紙を折り曲げて形成した板状の支柱６１の下部両側面に同じく厚紙を折り曲げて形成した台座６２が設けられている。そして、支柱６１の両側面に第２実施形態と同様なほぼ四角形の複数の棚板１１が設けられている。そして、各棚板１１は、それぞれ高さが相違するように側面視において互い違いに配置されている。また、棚板１１の外端部間には、前記第６実施形態と同様な合成樹脂製のパイプ４５が介在されて、棚板１１の外端部側が下がるのが防止されている。
【００３８】
従って、第８実施形態においては、以下の効果がある。
（１６）板状の支柱６１の両側面に棚板１１が設けられているため、支柱６１の一方の側面と他方の側面とにおいて、例えば種類の異なる商品を整然と陳列できる。
【００３９】
（変更例）
本考案は前記各実施形態に限定されるものではなく、以下のような態様で具体化してもよい。
【００４０】
・棚板１１の形状を楕円形、六角形などの前記実施形態以外の形状に変更すること。
・枠脚２５を平面円形状にすること。この場合は、第４実施形態と同様に、枠脚２５に開口を形成して、その開口から棚板１１の両端部が突出するように構成するとよい。
【符号の説明】
【００４１】
１１…棚板、１２…脚部材、１３…陳列部、１４…縁枠部、１５…差し込み溝、２１…差し込み突片、２３…壁部、２４…壁部、２５…枠脚、２６…開口、２７…載置部。
【図１】
0003216425.tif 000003
【図２】
0003216425.tif 000004
【図３】
0003216425.tif 000005
【図４】
0003216425.tif 000006
【図５】
0003216425.tif 000007
【図６】
0003216425.tif 000008
【図７】
0003216425.tif 000009
【図８】
0003216425.tif 000010
【図９】
0003216425.tif 000011
【図１０】
0003216425.tif 000012
【図１１】
0003216425.tif 000013